(57)【要約】【課題】尿温度に感応して変色するマークシートを、男性用小便器の内壁面に貼着して、放尿飛散や跳ね返りによる便器周辺の汚れ防止を図ったマークシート及びマークシート付き小便器を提案する。【解決手段】塩化ビニール製のシート本体（１１）の裏面側に粘着層（１１３）が形成され、表面側に、温度に感応して変色するインキで印刷されたインキ層（１１１）が一体に形成されると共に、当該インキ層（１１１）の全表面が、劣化防止膜（１１２）でラミネートコーティングされてなるマークシート（１）、及び、前記マークシート（１）を粘着層（１１３）を介し、男性用小便器（２）の垂れ受部（２２）の内奥壁面（２１）のやや上方部位に貼着してなるマークシート付き小便器。【選択図】　　　図１
2004116245.tif 000002
【特許請求の範囲】
【請求項１】
小便器に貼着して使用されるマークシートであって、合成樹脂製のシート本体の裏面側に粘着層が形成されると共に、当該シート本体の表面側の少なくとも一部に、放尿時の尿温度により感応変色し、常温時に元の色に復帰可能なインキ層が形成され、且つ、当該インキ層の表面が、透光性の劣化防止膜によりラミネートコーティングされてなることを特徴とする小便器用マークシート。
【請求項２】
前記劣化防止膜が、前記シート本体の外周全長から所望幅だけはみ出す余剰膜部が形成され、且つ、当該余剰膜部の裏面側に膜部粘着層が形成されていることを特徴とする請求項１に記載の小便器用マークシート。
【請求項３】
前記インキ層が、放尿時の尿温度に感応して変色し、常温時に元の色に復帰するインキよりなる変色インキ層と、当該変色インキ層の裏側に設けた変色しないインキよりなるシールインキ層と、を含むことを特徴とする請求項１又は請求項２に記載の小便器用マークシート。
【請求項４】
前記劣化防止膜の肉厚が、０．１〜０．９μｍであることを特徴とする請求項１乃至請求項３に記載の小便器用マークシート。
【請求項５】
前記粘着層を剥離可能に覆う剥離紙が設けられていることを特徴とする請求項１乃至４の何れかに記載の小便器用マークシート。
【請求項６】
請求項１乃至５に記載のマークシートを、小便器内壁面の放尿を求める領域内に貼着したものであることを特徴とする小便器。
【請求項７】
放尿時の尿温度に感応して変色し、常温時に元の色に復帰可能な温度感応変色マークを内壁面の放尿を求める領域内に設けたものであることを特徴とする小便器。
【発明の詳細な説明】
【０００１】
【発明の属する技術分野】
本発明は、小便器用マークシート及び小便器に係り、詳しくは、放尿時の尿温度に感応して変色するマークシートを利用し、当該マークシートを照準ポイントとして小便器の内壁面に貼着して、放尿飛散や跳ね返りによる便器周辺の汚れ防止を図った小便器用マークシート或いはそのようなマークシート及び温度感応変色マークを有する小便器に関するものである。
【０００２】
【従来の技術】
図７、図８に示すものは、従来の一般的な男性用小便器である。即ち、図７に示すものは、前面が開放された本体７２の下部部位に、前方側に突出したタレ受け部７３を連続して設けた小便器７１であり、壁面Ｗの所定高さ位置に固定して設置されている。また、図８に示す小便器８１は、本体８２を上下に長く形成し、タレ受け部８３が床面Ｆと接するようにして壁面Ｗに設置されている。上記図７に示す小便器７１は、成人男性の使用を想定して壁面Ｗの途中に設置されるので、子供や背の低い人にとっては使用しずらく、また、無理して使用すると尿が便器外へ飛び散って床面を汚し、非衛生的になりがちであるという問題があった。また、上記図８に示す小便器８１は、タレ受け部８３が下方に位置しているので上述した小便器７１に見られるような問題点は少ないが、一般的な成人男性が使用すると、放尿飛散や跳ね返りを生じて小便器８１周辺の床面Ｆを汚すと共に、本人のズボン等にも掛ってしまうという問題があった。
【０００３】
上述したような従来の課題を解決するものとして、図９に示すような小便器９１が知られている（特許文献１参照）。即ち、この小便器９１は、トイレ内の壁面Ｗに沿って設置される男性用の小便器であって、背部９６の左右に壁部９４，９５を有し、前面が開放された本体９１の下方寄りに、上下二段のタレ受け部９２，９３を前方側に半椀状に突出形成させたものである。
【０００４】
【特許文献１】
特開平１０−２９９０６５号公報
【０００５】
【発明が解決しようとする課題】
しかしながら、上述の図７乃至図９に示されているような小便器であっても、男性が目標を定めず漫然と放尿すると、タレ受け部やその内奥壁面からずれた部位へ尿が飛散したり、尿が跳ね返って便器周辺の床面を汚したり、或いは、本人のズボン等に掛ってしまったりするという問題が残されていた。
【０００６】
本発明は、上記問題を解決するために為されたものであり、温度により感応変色するインキ層を含むマークシートを男性用小便器の内壁面に貼着しておくことにより、マークシートに尿が当って変色するということと相俟って、マークシートを標的に見立てれば、的を射ようという人間の心理が働いて、マークシートに向けて放尿するようになり、延いては、便器外への放尿飛散や跳ね返りで床面を汚したり、本人のズボン等に掛ったりしてしまうというトラブルが削減されるので、この目的に沿い、放尿の照準ポイントとして適用できる小便器用マークシート或いはマークシート及び温度感応変色マークを有する小便器を提供するものである。
【０００７】
【課題を解決するための手段】
上述した課題を解決するために本発明者は、尿の温度に感応して変色するインキ層を有するマークシートを利用し、このマークシートを小便器の内壁面に貼着すれば、放尿する人は変色するマークシートに興味をそそられ、集中的にマークシートへ向け放尿するようになるのではないか、そして、小便器外へ放尿してしまって床面を汚したり、本人のズボン等に掛ってしまったりするというトラブルも減少するのではないかと予想した。しかして、種々テストを重ねた結果、放尿時の尿温度に感応して見事に変色するマークシートが得られ、この変色するマークシートを貼着した小便器を使用することにより、所期の目的を達成できることが突止められた。
【０００８】
また、上記マークシートのインキ層を露出させた状態で、これを貼着した小便器の実用テストを行なった結果、マークシートのインキ層が経時的に尿で汚染されたり、化学反応を起したりして、マークシートの感応変色が判別し難くなるものである点に着目した。そこで、マークシートのインキ層の少なくとも全表面を覆うように、耐薬品性に優れた劣化防止膜を、特定の厚みにラミネートコーティングして形成することにより、上記課題の解決を図った。
【０００９】
そして、両側辺部と垂れ受部が半椀状に突出して前面が開放されている小便器において、繰返し実用テストの結果、放尿の照準ポイントとなるマークシートの取付け場所は、上記垂れ受部の内奥壁面のやや上方部位に貼着しておくことが適切であることが判明し、これにより、放尿飛散の防止効果は勿論のこと、尿の跳ね返り防止効果の大きいことが認められた。本発明は、このような観点から為されたものである。以下、本発明の具体的な構成について説明する。なお、何れかの請求項に係る発明の説明にあたって行う用語の定義等は、その性質上可能な範囲において他の請求項に係る発明にも適用されるものとする。
【００１０】
即ち、請求項１に記載した発明に係るマークシートは、小便器に貼着して使用されるマークシートであって、合成樹脂製のシート本体の裏面側に粘着層が形成されると共に、当該シート本体の表面側の少なくとも一部に、放尿時の尿温度により感応変色し、常温時に元の色に復帰可能なインキ層が形成され、且つ、当該インキ層の表面が、透光性の劣化防止膜によりラミネートコーティングされてなることを特徴とする。変色前の色と変色後の色は、前者と後者が異なるのであればどのような色でもよい。劣化防止膜の透光性とは、インキ層の変色が目視可能な範囲のものであれば、その度合いに制限はない。マークシートを小便器の内壁面の放尿を求める領域内に貼着することで、放尿する人は変色するマークシートに興味をそそられ、集中的にマークシートへ向け放尿するようになり、小便器外へ放尿してしまって床面を汚したり、本人のズボン等に掛ってしまったりするのを防止する作用効果が得られる。マークシートが放尿時の尿温度により感応変色するので、放尿する人の興味は、変色させようとする意識によりマークシートにさらに注がれる。
【００１１】
請求項２に記載した発明に係るマークシートは、請求項１のマークシートであって、前記劣化防止膜が、前記シート本体の外周全長から所望幅だけはみ出す余剰膜部が形成され、且つ、当該余剰膜部の裏面側に膜部粘着層が形成されていることを特徴とする。請求項２のマークシートによれば、請求項１のマークシートの作用効果に加え、シート本体とともに余剰膜部を小便器の壁面に貼着させることにより、シート本体とインキ層の端面が尿から隔離される。したがって、特にインキ層が尿の影響を受けづらくなり、マークシートの耐久性が増す。
【００１２】
請求項３に記載した発明に係るマークシートは、請求項１又は２のマークシートであって、前記インキ層が、放尿時の尿温度に感応して変色し、常温時に元の色に復帰可能なインキよりなる変色インキ層と、当該変色インキ層の裏側に設けた変色しないインキよりなるシールインキ層と、を含むことを特徴とする。請求項３のマークシートによれば、請求項１又は２のマークシートの作用効果に加え、マークシートの変色インキ層が尿の温度に感応して変色することにより、変色後の色と、変色インキ層の裏側に設けたシールインキ層の色とが混ざった色が発現する。変色後の前者が無色となることにより、変色しない後者の色が浮き出てくるように構成してもよい。たとえば、前者が青で後者が赤だとすると、変色後は紫が浮き出てくることになる。インキ層の構成は、上記構成に限る必要はなく、変色インキのみで構成してもよい。
【００１３】
そして、請求項４に記載した発明に係るマークシートは、請求項１乃至３の何れかのマークシートであって、前記劣化防止膜の肉厚が、０．１〜０．９μｍであることを特徴とする。上記範囲の肉厚に限定する趣旨ではないが、上記範囲であれば、材質違いにもよるが、一般に透光性を保ちながら放尿による温度変化をインキ層に伝導可能である。
【００１４】
請求項５に記載した発明に係るマークシートは、請求項１乃至４の何れかのマークシートであって、前記貼着層を剥離可能に覆う剥離紙が設けられていることを特徴とする。粘着層を剥離紙により覆っておくことにより、貼着前のマークシートを取り扱いやすくする。すなわち、粘着層がむき出しでは、そこにゴミが付着したり、作業者の手に貼りついたりしてしまうので不便であるが、剥離紙をつけておけばそのような不便が解消される。
【００１５】
請求項６に記載した本発明に係るマークシート付き小便器は、前記請求項１乃至請求項５に記載したマークシートを、小便器内壁面の放尿を求める領域内に貼着したものであることを特徴とする。上記のマークシートを、粘着層を介して小便器の内壁面の放尿を求める領域内に貼着してある小便器によれば、放尿する人は、マークシートを照準ポイントと見定めて放尿するようになり、小便器外への逸脱放尿や尿の飛散、跳ね返りによる便器周辺の汚れ度合いが少なくなり、清掃の手間も削減されるという作用効果が得られる。
【００１６】
そして、請求項７に記載した本発明に係る小便器は、放尿時の尿温度に感応して変色し、常温時に元の色に復帰することが可能な温度感応変色マークを内壁面の放尿を求める領域内に設けたものであることを特徴とする。当該マークを設ける方法としては、貼り付け等の外付け方法のほか、埋設等の方法もある。当該マークを小便器内壁面の放尿を求める領域内に設けることで、当該マークを照準ポイントと見定めて放尿するようになり、小便器外への逸脱放尿や尿の飛散、跳ね返りによる便器周辺の汚れ度合いが少なくなり、清掃の手間も削減されるという作用効果が得られる。
【００１７】
【発明の実施の形態】
以下、本発明の実施の形態を図面に基づき具体的に説明する。図１は、本発明のマークシートの一実施例を示す平面図であり、図２（Ａ）は、図１に示すマークシートのＸ−Ｘ線矢視の拡大断面図であり、図２（Ｂ）は、図２（Ａ）に示すマークシートの変形例を示す図である。図３は、図２のＹ−Ｙ線矢視の拡大断面図であり、図４は、本発明のマークシート付き小便器の一実施例を示す斜視図であり、図５は、本発明のマークシート付き小便器の他の実施例を示す斜視図であり、図６（Ａ）は、本発明で便器内の尿の跳ね返り状態を示す正面図であり、図６（Ｂ）は、本発明で便器内の尿の跳ね返り状態を示す側面図である。
【００１８】
図１、図２（Ａ）及び図３に示すように、本実施形態に係るマークシート１は、塩化ビニール製のシート本体１１の裏面側に粘着性のある粘着層１１３が形成されると共に、上記シート本体１１の表面側に、特定の温度、ここでは放尿時の尿温度に感応して変色するインキでシルクスクリーン印刷された変色インキ層１１１ａと、この変色インキ層１１１ａの裏側に、変色しないインキでシルクスクリーン印刷されたシールインキ層１１１ｂとが積層形成されたインキ層１１１が、シート本体１１の塩化ビニール樹脂と相容性良く一体に形成される。放尿時の尿温度は、個人差や放尿時の外気温の差等により左右されるが、本実施形態では、概ね３０〜３５℃を想定している。このため、２９℃を超したときに変色するように設定してあるが、寒冷地ではそれより低く、温暖地ではそれより高く設定することが好ましい。なお、シート本体１１は入手が比較的容易であることと安価であることから塩化ビニール製としたが、これ以外の合成樹脂材により構成してもよい。
【００１９】
そして、放尿時の尿温度に感応して上記変色インキ層１１１ａが変色すると、変色インキ層１１１ａの裏側にあるシールインキ層１１１ｂの色が浮き出るように発現して、恰も、インキ層１１１全体の変色として目視観察される。放尿が終わってマークシート１の温度が下がると、間もなく、変色インキ層１１１ａの色が復元するものである。
【００２０】
従って、たとえば、変色前の変色インキ層１１１ａが赤であり、変色後は無色透明であるとし、さらにシールインキ層１１１ｂの色を白であるとする。ここで放尿され変色インキ層１１１ａが無色透明になると、シールインキ層１１１ｂの色である白が発現する。マークシート１を貼着した小便器の内壁の色が、シールインキ層１１１ｂの白と同じような白であれば、上記変色によりマークシート１が消えたように見える。この場合に、シールインキ層１１１ｂの色を、たとえば青にしておくと変色インキ層１１１ａの変色（無色透明化）により青が見え、同様に黒にしておけば黒が見えるようになる。放尿が終わると、前者の例の場合は白から赤に戻り、後者の例の場合は青又は黒から赤に戻ることになる。
【００２１】
上記例では、変色インキ層１１１ａを変色により無色透明化したが、変色により特定の色となるように構成してもよい。たとえば、変色後に薄い赤になるようにしておき、シールインキ層１１１ｂの青と混ぜ合わせて，紫色が見えるようにしたり、変色後に薄い白になるようにしておき、シールインキ層１１１ｂの赤と混ぜ合わせてピンクが見えるようにしたりしてもよい。上記例から理解されるようにインキ層１１１の変色インキ層１１１ａに用いるインキと、シールインキ層１１１ｂに用いるインキは、どのような色であっても構わないが、変色前と変色後において色相、明度、彩度において隔差が大きいほど好ましい。なぜなら、両者の隔差が大きければ大きいほど、それだけ使用者の注意を喚起する効果が高まるからである。
【００２２】
また、上記マークシート１は、放尿の照準ポイントとなるものであるので、これに相応しい形状、模様、色調のものを種々組み合わせて使用することができ、例えば、図示した様な同心円状の標的模様のものや、花、昆虫、動物等の漫画やイラスト等が好適に使用される。
【００２３】
そして、マークシート１のインキ層１１１を覆う劣化防止膜１１２としては、尿中に含まれるアンモニアや便器清掃用の洗剤等に耐える、耐薬品性の優れたポリエステル樹脂（ポリエチレンテレフタレート等）が用いられ、そして、上記劣化防止膜１１２は、ラミネートコーティングにより形成され、その膜厚は、耐久性や熱伝導性等を考慮して、たとえば、０．１〜０．９μｍ、好ましくは０．６μ前後（０．５μ〜０．７５μ）に設定するとよい。そして、この劣化防止膜１１２は、使用者がインキ層１１１の色変化を認識できる程度の透光性を有していることが必要である。また、この劣化防止膜１１２による被覆範囲は、少なくとも、インキ層１１１の打抜きトリミングの断面を含め、インキ層１１１の全表面を被覆するようにラミネートコーティングされる。これにより、インキ層１１１の尿温度に対する感度が損なわれることなく、しかも、インキ層１１１が汚染や経時的な劣化から解放されるという作用効果が得られる。
【００２４】
貼着層１１３は粘着性を持っているため、そのままではゴミを付着させたり手に付いたりして取り扱いが不便である。このため、簡単に剥離可能な剥離紙１２により粘着層１１３を覆っておくことが好ましい。
【００２５】
図２（Ｂ）は、図２（Ａ）に示すマークシート１の変形例を示している。この変形例に係るマークシート１´が上記マークシート１と異なるのは、劣化防止膜の形状のみである。よって、ここでの説明においては、劣化防止膜についてだけ説明し、他の部分については図２（Ａ）で用いた符合と同じ符合を用いるにとどめ、その説明を省略する。すなわち、図２（Ｂ）に示す劣化防止膜１１２´にはシート本体１１の外周全長から所望幅だけはみ出す余剰膜部１１２´ａが形成されている。この余剰膜部１１２´ａの裏面側には、膜部粘着層１１２´ｂが形成されている。この膜部粘着層１１２´ｂを利用して余剰膜部１１２´ａを、シート本体１１とともに小便器の壁面に貼着させることにより、シート本体１１とインキ層１１１の端面が尿から隔離されて尿の影響を受けづらくなる。したがって、マークシートの耐久性が増す。
【００２６】
そして、本発明に係るマークシート１付き小便器２は、上述したマークシート１の裏面側の粘着層１１３から剥離紙１２を剥離して、図４、図５に示すように、粘着層１１３を介し、小便器２の内壁面の放尿を求める領域内にマークシート１を貼着したものである。即ち、両側辺部２３，２３と垂れ受部２２が半椀状に突出して前面が開放されている男性用小便器２の、上記垂れ受部２２の内奥壁面２１のやや上方部位に、放尿の照準ポイントとなる上記マークシート１が貼着される。マークシート１の代わりに、マークシート１と同様な機能を持つマーク（図示を省略）を埋設等により設けてもよい。
【００２７】
上記マークシート１付き小便器２を使用して放尿すれば、図６（Ａ）、（Ｂ）に示すように、マークシート１に的中した尿ｎは、内奥壁面２１から破線矢印方向へ跳ね返ったのち、一部は直接に垂れ受部２２へ入り、他は両側辺部２３，２３に当ったのち垂れ受部２２へ収まる如く、小便器２外への飛散漏れや跳ね返りが少なくなって、小便器２の周辺の汚れ度合いが少なくなり、清掃の手間も削減されるという作用効果が得られた。なお、東北自動車道ＳＡのトイレ内の小便器２に、上記マークシート１を貼着して実用テストを行なった結果、飛散尿ｎによる床汚れは、目視観察で約３０％削減されることが実証された。
【００２８】
【発明の効果】
本発明は、放尿時の尿温度に感応して変色するインキ層を備えたマークシートを、小便器内壁面の放尿を求める領域内、即ち小便器の垂れ受部の内奥壁面のやや上方部位に貼着することにより、放尿する人はこれに興味をもち、放尿の照準ポイントと見定めてマークシートに向け集中して放尿するようになるため、便器外への逸脱放尿や尿の飛散、跳ね返りによる便器周辺の汚れが少なくなり、清掃の手間も削減されるという作用効果が得られるものである。
【図面の簡単な説明】
【図１】本発明のマークシートの一実施例を示す平面図である。
【図２】（Ａ）図１に示すマークシートのＸ−Ｘ線矢視の拡大断面図である。
（Ｂ）図２（Ａ）に示すマークシートの変形例を示す図である。
【図３】図２のＹ−Ｙ線矢視の拡大断面図である。
【図４】本発明のマークシート付き小便器の一実施例を示す斜視図である。
【図５】本発明のマークシート付き小便器の他の実施例を示す斜視図である。
【図６】（Ａ）本発明で便器内の尿の跳ね返り状態を示す側面図である。
（Ｂ）本発明で便器内の尿の跳ね返り状態を示す正面図である。
【図７】従来技術の一例を示す斜視図である。
【図８】従来技術の他の例を示す斜視図である。
【図９】従来技術の更に他の例を示す斜視図である。
【符号の説明】
１　　　　マークシート
１１　　　　シート本体
１１１　　　　インキ層
１１１ａ　　　変色インキ層
１１１ｂ　　　シールインキ層
１１２　　　　劣化防止膜
１１３　　　　粘着層
１２　　　　剥離紙
２　　　　小便器
２１　　　　内奥壁面
２２　　　　垂れ受部
２３　　　　側辺部
Ｗ　　　　壁面
Ｆ　　　　床面
ｎ　　　　尿
【図１】
2004116245.tif 000003
【図２】
2004116245.tif 000004
【図３】
2004116245.tif 000005
【図４】
2004116245.tif 000006
【図５】
2004116245.tif 000007
【図６】
2004116245.tif 000008
【図７】
2004116245.tif 000009
【図８】
2004116245.tif 000010
【図９】
2004116245.tif 000011